(57)【要約】【課題】従来の汚染成分拡散防止技術に比べ、汚染土壌中に含まれる汚染成分に対して、安定し、かつ優れた浄化能力を有する汚染成分拡散防止用混合物及び汚染成分拡散防止方法を提供することにある。【解決手段】汚染土壌中に含まれる汚染成分を吸着するための吸着剤と、透水係数及び厚さを調整するため、前記吸着剤に対し、所定の割合で混合される希釈材とで混合物を構成し、該混合物は、前記汚染成分を含有する水の空間速度が、６０（１／ｈｒ）以下であることを特徴とする汚染成分拡散防止用混合物。【選択図】なし【特許請求の範囲】
【請求項１】
汚染土壌中に含まれる汚染成分を吸着するための吸着剤と、透水係数及び厚さを調整するため、前記吸着剤に対し、所定の割合で混合される希釈材とで混合物を構成し、
該混合物は、前記汚染成分を含有する水の空間速度が、６０（１／ｈｒ）以下であることを特徴とする汚染成分拡散防止用混合物。
【請求項２】
前記吸着剤は、水酸化セリウム、酸化セリウム、水酸化ランタン、酸化ランタン及びこれらの水和物から選択される１種以上の希土類化合物を含有する請求項１記載の汚染拡散防止混合物。
【請求項３】
前記吸着剤は、Ａｌ、Ｆｅ、Ｓｉ、Ｐ、Ｃａ及びＭｇから選択される１種以上の成分をさらに含有することを特徴とする請求項１又は２記載の汚染拡散防止混合物。
【請求項４】
前記希釈材は、無機材、無機繊維材、有機材又は有機繊維材であることを特徴とする請求項１、２又は３記載の汚染拡散防止混合物。
【請求項５】
前記汚染成分は、ヒ素、フッ素、ホウ素、セレン、鉛、クロム、カドミウム、マンガン、アンチモン及びニッケルから選択される１種以上の成分であること特徴とする請求項１〜４のいずれか１項記載の汚染拡散防止混合物。
【請求項６】
汚染土壌と、非汚染土壌との間に、汚染土壌から発生する汚染成分を吸着するための吸着剤と、透水係数及び厚さを調整するため、前記吸着剤に対し、所定の割合で混合される希釈材との混合物で構成され、該混合物は、前記汚染成分を含有する水の空間速度が、６０（１／ｈｒ）以下の範囲である汚染成分拡散防止層を設け、前記汚染土壌中を流れる汚水が前記汚染成分拡散防止層の通過する時に、前記汚染成分を前記汚染成分拡散防止層が吸着保持することを特徴とする汚染成分拡散防止方法。
【請求項７】
前記吸着剤は、水酸化セリウム、酸化セリウム、水酸化ランタン、酸化ランタン及びこれらの水和物から選択される１種以上の希土類化合物を含有する請求項６記載の汚染成分拡散防止方法。
【請求項８】
前記汚染成分は、ヒ素、フッ素、ホウ素、セレン、鉛、クロム、カドミウム、マンガン、アンチモン及びニッケルから選択される１種以上の成分であること特徴とする請求項６又は７記載の汚染成分拡散防止方法。
【請求項９】
前記汚染成分拡散防止層は、一旦、前記吸着剤と前記希釈材を混合した後、さらに前記希釈材と同一又は異なる希釈材を混合して形成することで、前記吸着剤及び前記希釈材の配置を均一にすることを特徴とする請求項６、７又は８記載の汚染成分拡散防止方法。
【請求項１０】
前記吸着剤の含有量は、酸化添加溶出試験及びアルカリ添加溶出試験の結果をもとに決めることを特徴とする請求項６〜９のいずれか１項記載の汚染成分拡散防止方法。
【発明の詳細な説明】
【技術分野】
【０００１】  本発明は、汚染成分を含有する汚水を浄化するための汚染成分拡散防止用混合物、及びその汚染成分拡散防止用混合物からなる層を、汚染土壌と非汚染土壌との間に設け、汚染土壌中を流れる汚水の汚染成分を浄化して前記非汚染土壌へ流出させる汚染成分拡散防止方法に関する。
【背景技術】
【０００２】  従来、ヒ素等の汚染成分を含有した土壌の処理方法としては、非特許文献１に示されているように、汚染土壌の分布範囲に前記汚染成分を不溶化するための薬剤を注入、又は注入・攪拌することで前記汚染土壌からの汚染成分の溶出量（土壌溶出量）を低下させる原位置不溶化措置や、前記汚染土壌を掘削除去し、水の侵入を防止するための遮水シート等で前記被汚染土壌を覆った後、汚染土壌を埋め戻すことで、汚染土壌が地下水に接することを防ぎ、前記汚染成分の溶出を防止する遮水工封じ込め措置などが用いられてきた。【０００３】  しかし、前記原位置不溶化措置では、前記薬剤を注入した土壌のｐＨ、酸化還元電位、共存イオン種類又は土壌のイオン交換容量などが変化する結果、例えばｐＨが上昇する場合に鉛などの成分が溶出するような、不溶化措置する成分とは別の汚染成分が溶出する恐れや、不溶化の補助剤として用いたセメント自体からの６価クロムが溶出する恐れがあり、さらに、薬剤を大量に必要とし、汚染土壌との攪拌を必要とするため、コストがかり、作業性が悪いという問題があった。また、前記遮水工封じ込め措置では、前記汚染土壌全体を覆うことができるように、極めてサイズの大きな遮水シートを用意する必要があるため、コストがかかりすぎるという問題や、前記遮水シートは主に有機系の材料からできているため、破損し、破損部から汚染成分が流出する恐れがあった。【０００４】  このように、汚染土壌の処理方法としては、不溶化措置のように大量の薬剤を必要とせずに、汚染土壌中を流れる汚水に含まれる汚染成分が、隣接する非汚染土壌へ侵入しないようにするための簡便な方法が、現状では存在しない。【０００５】  また、上記した土壌の処理方法ではないが、地下水の浄化方法としては、例えば特許文献１に開示されているように、鉄粉等を含有する材料から形成される壁状領域を地中に設けることを特徴とする地下水浄化構造や、特許文献２に開示されているように、ゼオライトの表面に希土類金属の水酸化物又は酸化物を形成してなる浄化剤を含む地下水浄化領域を設けることを特徴する汚染地下水の浄化方法がある。【０００６】  しかしながら、特許文献１の地下水浄化構造では、地下水中に含まれるヒ素を吸着するのではなく、金属ヒ素の形にして前記浄化領域中に不動化することから、一旦、不動化した金属ヒ素が、土壌のｐＨや酸化還元電位の低下に伴い、再び非汚染土壌へ流出する恐れがあり、また、特許文献２の汚染地下水の浄化方法では、ゼオライト表面に希土類金属の水酸化物又は酸化物を析出させるという高度な技術を用いているため、吸着剤のコストが高くなり、結果として施工コストが高くなるという問題があった。さらに、特許文献１及び２のいずれの地下水浄化技術も、前記浄化領域の透水性についての適正化が十分ではなく、前記汚染成分に対する浄化能力が十分でない上、安定性に欠けるという問題があった。
【先行技術文献】
【特許文献】
【０００７】
【特許文献１】特開２００３−３９０８０号公報
【特許文献２】特開２００５−３３４７４９号公報
【非特許文献】
【０００８】
【非特許文献１】社団法人土壌環境センター、「土壌汚染に基づく調査及び措置の技術的手法の解説」、日本、社団法人土壌環境センター、平成１５年９月、Ｐ１０２〜１２３
【発明の概要】
【発明が解決しようとする課題】
【０００９】  本発明の目的は、空間速度の適正化を図ることにより、汚染土壌中に含まれる汚染成分に対して、安定し、かつ優れた浄化能力を有する汚染成分拡散防止用混合物及び汚染成分拡散防止方法を提供することにある。【００１０】  本発明者らは、上記の課題を解決すべく、汚染成分拡散防止用混合物及び汚染成分拡散防止方法について検討を重ねた。その結果、汚染拡散防止用混合物（又は汚染拡散防止層）の透水係数及び厚さを調整し、その空間速度を、６０（１／ｈｒ）以下とすることによって、前記汚染拡散防止用混合物（汚染拡散防止層）中の吸着剤と、前記汚染成分との接触時間が適正範囲となるため、接触時間が短くなることによる前記汚染成分の非汚染土壌への流出を防ぐことができる結果、安定して優れた浄化能力を発揮できることを見出した。【００１１】  本発明は、このような知見に基づきなされたもので、その要旨は以下の通りである。
（１）汚染土壌中に含まれる汚染成分を吸着するための吸着剤と、透水係数及び厚さを調整するため、前記吸着剤に対し、所定の割合で混合される希釈材とで混合物を構成し、該混合物は、前記汚染成分を含有する水の空間速度が、６０（１／ｈｒ）以下であることを特徴とする汚染成分拡散防止用混合物。【００１２】（２）前記吸着剤は、水酸化セリウム、酸化セリウム、水酸化ランタン、酸化ランタン及びこれらの水和物から選択される１種以上の希土類化合物を含有することを特徴とする上記（１）記載の汚染拡散防止混合物。【００１３】（３）前記吸着剤は、Ａｌ、Ｆｅ、Ｓｉ、Ｐ、Ｃａ及びＭｇから選択される１種以上の成分をさらに含有することを特徴とする上記（１）又は（２）記載の汚染拡散防止混合物。【００１４】（４）前記希釈材は、無機材、無機繊維材、有機材又は有機繊維材であることを特徴とする上記（１）、（２）又は（３）記載の汚染拡散防止混合物。【００１５】（５）前記汚染成分は、ヒ素、フッ素、ホウ素、セレン、鉛、クロム、カドミウム、マンガン、アンチモン及びニッケルから選択される１種以上の成分であること特徴とする上記（１）〜（４）のいずれか１項記載の汚染拡散防止混合物。【００１６】（６）汚染土壌と、非汚染土壌との間に、汚染土壌から発生する汚染成分を吸着するための吸着剤と、透水係数及び厚さを調整するため、前記吸着剤に対し、所定の割合で混合される希釈材との混合物で構成され、該混合物は、前記汚染成分を含有する水の空間速度が、６０（１／ｈｒ）以下である汚染成分拡散防止層を設け、前記汚染土壌中を流れる汚水が前記汚染成分拡散防止層の通過する時に、前記汚染成分を前記汚染成分拡散防止層が吸着保持することを特徴とする汚染成分拡散防止方法。【００１７】（７）前記吸着剤は、水酸化セリウム、酸化セリウム、水酸化ランタン、酸化ランタン及びこれらの水和物から選択される１種以上の希土類化合物を含有することを特徴とする上記（６）記載の汚染成分拡散防止方法。【００１８】（８）前記汚染成分は、ヒ素、フッ素、ホウ素、セレン、鉛、クロム、カドミウム、マンガン、アンチモン及びニッケルから選択される１種以上の成分であること特徴とする上記（６）又は（７）記載の汚染成分拡散防止方法。【００１９】（９）前記汚染成分拡散防止層は、一旦、前記吸着剤と前記希釈材を混合した後、さらに前記希釈材と同一又は異なる希釈材を混合して形成することで、前記吸着剤及び前記希釈材の配置を均一にすることを特徴とする上記（６）、（７）又は（８）記載の汚染成分拡散防止方法。【００２０】（１０）前記吸着剤の含有量は、酸化添加溶出試験及びアルカリ添加溶出試験の結果をもとに決めることを特徴とする上記（６）〜（９）のいずれか１項記載の汚染成分拡散防止方法。【００２１】  本発明によれば、従来の汚染成分拡散防止技術に比べ、汚染土壌中に含まれる汚染成分に対して、安定し、かつ優れた浄化能力を有する汚染成分拡散防止用混合物及び汚染成分拡散防止方法の提供が可能となった。
【図面の簡単な説明】
【００２２】
【図１】本発明による汚染成分拡散防止方法を模式的に示した図である。
【図２】本発明による汚染成分拡散防止層を地中に埋めて使用した状態を模式的に示した図であり、（ａ）は汚染土壌の下に汚染成分拡散防止層を設ける場合、（ｂ）は汚染土壌を囲むように汚染成分拡散防止層を設ける場合を示す。
【図３】各実施例及び比較例の汚染成分拡散防止層の浄化能力を評価するための、試験装置を模式的に示した図である。
【発明を実施するための形態】
【００２３】  まず、本発明による汚染成分拡散防止用混合物について説明する。
本発明による汚染成分拡散防止用混合物は、汚染土壌中に含まれる汚染成分を吸着する吸着剤と、透水係数及び厚さを調整するため、前記吸着剤に対し、所定の割合で混合される希釈材とで構成される。
【００２４】  本発明の吸着剤は、その名の通り、前記汚染土壌中に含まれる汚染成分を吸着するための材料であり、ヒ素やフッ素などの前記汚染成分に対して高い吸着性を有する点から、希土類化合物を含有することが好ましい。また、さらに高い吸着性を有することができる点から、前記希土類化合物は、水酸化セリウム（Ｃｅ（ＯＨ）４、Ｃｅ（ＯＨ）３）、酸化セリウム（ＣｅＯ２、Ｃｅ２Ｏ３）、水酸化セリウムの水和物（（Ｃｅ（ＯＨ）４・ｎＨ２Ｏ、Ｃｅ（ＯＨ）３・ｎＨ２Ｏ）、水和酸化セリウム（ＣｅＯ２・ｎＨ２Ｏ、Ｃｅ２Ｏ３・ｎＨ２Ｏ）、水酸化ランタン（Ｌａ（ＯＨ）３）、酸化ランタン（Ｌａ２Ｏ３）及びこれらの水和物から選択される１種以上の希土類化合物であることがより好適である。
【００２５】  また、前記吸着剤は、Ａｌ、Ｆｅ、Ｓｉ、Ｐ、Ｃａ及びＭｇから選択される１種以上の成分を含有することが好ましい。入手しやすい成分であり、吸着する元素に対し、最適な成分を選択することで、吸着性能は希土類化合物に多少劣るものの、コスト的な安価な施工ができるからである。
【００２６】  なお、前記吸着剤の形状としては、特に限定はされないが、細かい粒状、特に、粒状、粉末状又は粘土状であることが、本発明の汚染成分拡散防止用混合物中に均一に含有され、安定した吸着能力を発揮できる点で好ましい。ここで、粒状とは平均粒径が０．７５〜５ｍｍのものであり、粉末状とは平均粒径が０．００１〜０．７５ｍｍのものであり、粘土状とは、前記粉末状の吸着剤が約５０％の水を含む状態のことである。
【００２７】  ここで、前記汚染成分とは、前記汚染土壌中に含まれる人体に悪影響を与える成分のことであり、例えば、ヒ素、フッ素、ホウ素、セレン、鉛、クロム、カドミウム、マンガン、アンチモン及びニッケルから選択される１種以上の成分をいう。
【００２８】  前記吸着剤の一例としては、セリウムを主成分とする複数の希土類化合物を含有する、日本板硝子（株）製「アドセラ（登録商標）」や、鉄系化合物を含有する（株）神戸製鋼所製の「エコメル（登録商標）」を用いることができる。
上記の各吸着剤の吸着性能を示すため、各汚染成分：ヒ素、鉛、６価クロム、セレン、ホウ素、水銀、フッ素及びアンチモンを１００ｍｇ／ｌの濃度で含有する溶液に、各吸着剤を１ｇ浸漬させて２４時間揺動させた後、前記溶液をろ過し、吸着剤１ｇで吸着できる各汚染成分を測定し、元素量（ｍｇ）をｍｇ／ｇの単位で示した。測定結果を表１に示す。
【００２９】
【表１】
2010005624.tif 000002
【００３０】  本発明の希釈材は、本発明の汚染成分拡散防止用混合物の透水係数及び厚さを調整するため、前記吸着剤に対し、所定の割合（所定の体積比）で混合される材料のことである。そのため、透水係数及び厚さを調整できるような材料であれば特に限定はないが、例えば、無機材、無機繊維材、有機材又は有機繊維材を用いれば、細粒から粗粒まで選択、組合せでき、吸着剤と混合物の透水性を調整することができる点で好ましい。
【００３１】  なお、前記無機材とは、例えば、珪藻土、砂利、砕石、砂、瓦礫、庭石、ガラス屑、ゼオライト、貝殻屑、陶器屑、石灰石又は石炭灰、焼却灰などの灰のことをいい、前記無機繊維材とは、例えば、ガラス繊維、アルミナ繊維、ロックウール、スラグウール又はチタン繊維などの長繊維又は短繊維のことであり、アスペクト比（繊維長／繊維径）が１〜２０００の範囲にあるものをいう。
また、前記有機材とは、例えば、おが屑、布屑、紙屑又は活性炭などのことをいい、前記有機繊維材とは、例えば、アラミド繊維又はＰＥＴ繊維などの長繊維又は短繊維のことであり、アスペクト比（繊維長／繊維径）が２〜２００の範囲にあるものをいう。
【００３２】  また、本発明の汚染成分拡散防止用混合物は、前記汚染成分を含有する水の空間速度が、６０（１／ｈｒ）以下である。前記混合物中の空間速度を６０（１／ｈｒ）以下とすることで、前記混合物中の吸着剤と、前記汚染成分との接触時間を適正範囲とすることができるため、汚染成分の吸着を十分に行うことができる結果、安定して優れた浄化能力を得ることができるからである。ここで、前記混合物の空間速度とは、汚水が前記混合物に接触する時間の逆数、つまり、単位時間当たりに前記混合物がそれ自体の体積に対する汚水の処理能力を示したものであり、以下の式で示すことができる。
ＳＶ＝Ｑ／Ｖ＝Ｑ／（Ｓ・ｈ）
＊ＳＶ：空間速度（１／ｈｒ）、Ｑ：汚水の流量（ｍ３／ｈｒ）、Ｖ：混合物の体積（ｍ３）、Ｓ：混合物の断面積（ｍ２）、ｈ：混合物の高さ（ｍ）
【００３３】  前記混合物の空間速度は、その透水係数や厚さの調整によって、６０（１／ｈｒ）以下にすることができ、前記混合物中の吸着剤は、その体積が小さくコストもかかることから、前記吸着剤と前記希釈材とを所定の体積比で混合することで、透水係数や厚さの調整を行う。
【００３４】  続いて、本発明による汚染成分拡散防止方法について図面を用いて説明する。
図１は、本発明による汚染成分拡散防止方法を用いた土壌の構造を示す図である。
【００３５】  本発明による汚染成分拡散防止方法は、汚染土壌１と、非汚染土壌２との間に、前記汚染土壌１中に含まれる汚染成分を吸着し、かつ透水性を有する所定厚さの汚染成分拡散防止層３を設け、前記汚染土壌１中を流れる汚水が、前記汚染成分拡散防止層３の通過時に、前記汚染成分を前記汚染成分拡散防止層３で吸着保持する方法である。
【００３６】  上記汚染成分拡散方法を用いれば、前記汚染成分拡散防止層３により、前記汚染土壌１から流出した汚染成分を含有する水の浄化が可能となるため、前記汚染成分の含有がほとんどない水を前記被汚染土壌２へ送り出すことが可能となる。その結果、従来の汚染土壌処理方法のように、特殊な薬剤と混合させたり、土壌全体を包み込んだりする必要がなく、汚染土壌を通常の土壌と同様に扱うことができる点で有効な手段である。
【００３７】  また、前記汚染成分拡散防止層３は、汚染土壌１から発生する汚染成分を吸着する吸着剤と、透水係数及び厚さを調整するため、前記吸着剤に対し、所定の割合で混合される希釈材との混合物で構成され、該混合物は、前記汚染成分を含有する水の空間速度が６０（１／ｈｒ）以下である。前記空間速度を６０（１／ｈｒ）以下とすることで、前述したように、安定、かつ優れた浄化能力を得ることができるからである。一方、６０（１／ｈｒ）超えの場合には、汚水の処理速度は優れているものの、汚染成分と吸着剤との接触時間が短くなり、高濃度の汚染成分に対する浄化能力が劣る恐れがあるからである。
【００３８】  なお、前記吸着剤の含有量は、酸化添加溶出試験及びアルカリ添加溶出試験の結果をもとに決めることが好ましい。酸化添加溶出試験及びアルカリ添加溶出試験とは、参考文献（「重金属等不溶化処理土壌の安定性に関する検討部会報告−酸添加溶出試験法、アルカリ添加溶出試験法−」、（社）土壌環境センター）に記載されているように、前記汚染成分を含有した試料に所定の酸又はアルカリを添加し、攪拌・ろ過した後、ろ液を調べることで前記汚染成分の溶出量を測定する試験のことであり、この試験結果をもとに、前記吸着剤の含有量を定めれば、その後、前記汚染成分拡散防止層３が長期間の自然環境変化、多少の酸又はアルカリなど特殊な条件下の場合であっても、前記汚染成分の溶出を抑えることができるからである。
【００３９】  また、図１に示すように、前記汚染土壌の上をアスファルトやコンクリートで舗装し、保護層４を設ければ、前記汚染成分が外に触れることがなくなるため、前記被汚染土壌以外への流出も抑えることができる点で好ましい。
【００４０】  上述したところは、この発明の実施形態の一例を示したにすぎず、請求の範囲において種々の変更を加えることができる。例えば、図２（ａ）及び（ｂ）に示すように、前記汚染成分拡散防止層３を地中に埋めて使用することも可能である。
【実施例】
【００４１】  本発明の実施例について説明する。（実施例１）  実施例１は、セリウムを主成分とする複数の希土類化合物３０質量％、水５５質量％、残部がシリカ等の無機元素１５質量％からなる粘土状の吸着剤（商品名「アドセラ（登録商標）（スラリー状）」日本板硝子（株）製）５０ｇ（比重＝１．２、４１．５ｃｍ３）と、ガラス繊維（平均繊維径０．８μｍのガラス短繊維、「ＣＭＬＦ♯２０８」日本板硝子（株）製）５００ｃｍ３及び微細砂（平均粒径０．３ｍｍの砂）４５００ｃｍ３からなる希釈材とを、体積比にして０．８：１０の割合で混合することにより、汚染成分拡散防止層を形成した。なお、前記希釈材はスラリー状のため、混合性を考慮し、前記ガラス繊維と一度混合させた後、さらに前記微細砂を混合させる方法を用いた。形成された汚染成分拡散防止層の透水係数、厚さ及び空間速度は表２に示す。【００４２】（実施例２）
実施例２は、セリウムを主成分とする複数の希土類化合物３０質量％、水５５質量％、残部がシリカ等の無機元素１５質量％からなる粘土状の吸着剤（商品名「アドセラ（登録商標）（スラリー状）」日本板硝子（株）製）５０ｇ（比重＝１．２、４１．５ｃｍ３）と、ロックウール（平均繊維径４μｍの岩石原料の綿状物、「エスファイバー（登録商標）」新日化ロックウール（株）製）５００ｃｍ３及び微細砂（平均粒径０．３ｍｍの砂）５００ｃｍ３からなる希釈材とを、体積比にして１：１の割合で混合することにより、汚染成分拡散防止層を形成した。なお、前記希釈材はスラリー状のため、混合性を考慮し、前記ロックウールと一度混合させた後、さらに前記微細砂を混合させる方法を用いた。形成された汚染成分拡散防止層の透水係数、厚さ及び空間速度は表２に示す。【００４３】（実施例３）
実施例３は、セリウムを主成分とする複数の希土類化合物４０質量％と、その他シリカ等の無機元素を６０質量％とからなる粒状の吸着剤（商品名「アドセラ（登録商標）（粒状）」日本板硝子（株）製）１００ｇ（比重＝０．７５、７５ｃｍ３）と、砂（平均粒径０．７５ｍｍ）１０００ｃｍ３からなる希釈材とを、体積比にして０．７５：１０の割合で混合することにより、汚染成分拡散防止層を形成した。形成された汚染成分拡散防止層の透水係数、厚さ及び空間速度は表２に示す。【００４４】（実施例４）
実施例４は、鉄化合物（商品名「エコメル（登録商標）」（株）神戸製鋼所製））からなる粉末状の吸着剤１００ｇ（比重＝５．１、２０ｃｍ３）、砂（平均粒径０．７５ｍｍ）１０００ｃｍ３からなる希釈材とを、体積比にして０．２：１０の割合で混合することにより、汚染成分拡散防止層を形成した。形成された汚染成分拡散防止層の透水係数、厚さ及び空間速度は表２に示す。【００４５】（実施例５）
実施例５は、セリウムを主成分とする複数の希土類化合物３０質量％、水５５質量％、残部がシリカ等の無機元素１５質量％からなる粘土状の吸着剤（商品名「アドセラ（登録商標）（スラリー状）」日本板硝子（株）製）５０ｇ（比重＝１．２、４１．５ｃｍ３）、礫（平均粒径１．５ｍｍ）２４００ｃｍ３からなる希釈材とを、体積比にして０．１７：１０の割合で混合することにより、汚染成分拡散防止層を形成した。形成された汚染成分拡散防止層の透水係数、厚さ及び空間速度は表２に示す。【００４６】（実施例６）
実施例６は、セリウムを主成分とする複数の希土類化合物３０質量％、水５５質量％、残部がシリカ等の無機元素１５質量％からなる粘土状の吸着剤（商品名「アドセラ（登録商標）（スラリー状）」日本板硝子（株）製）５０ｇ（比重＝１．２、４１．５ｃｍ３）と、砂（平均粒径０．７５ｍｍ）１０００ｃｍ３からなる希釈材とを、体積比にして０．４：１０の割合で混合することにより、汚染成分拡散防止層を形成した。なお、前記希釈材はスラリー状のため、混合性を考慮し、少量の前記砂と一度混合させた後、さらに残りの前記砂を混合させる方法を用いた。形成された汚染成分拡散防止層の透水係数、厚さ及び空間速度は表２に示す。
【比較例】
【００４７】（比較例１）
比較例１は、鉄化合物（商品名「エコメル（登録商標）」（株）神戸製鋼所製））からなる粉末状の吸着剤１００ｇ（比重＝５．１、２０ｃｍ３）と、礫（平均粒径２０ｍｍ）１００００ｃｍ３からなる希釈材とを、体積比にして０．０２：１０の割合で混合することにより、汚染成分拡散防止層を形成した。形成された汚染成分拡散防止層の透水係数、厚さ及び空間速度は表２に示す。
【００４８】（比較例２）
比較例２は、セリウムを主成分とする複数の希土類化合物３０質量％、水５５質量％、残部がシリカ等の無機元素１５質量％からなる粘土状の吸着剤（商品名「アドセラ（登録商標）（スラリー状）」日本板硝子（株）製）５０ｇ（比重＝１．２、４１．５ｃｍ３）と、砕石（平均粒径５ｍｍ）２００００ｃｍ３からなる希釈材とを、体積比にして０．０２：１０の割合で混合することにより、汚染成分拡散防止層を形成した。形成された汚染成分拡散防止層の透水係数、厚さ及び空間速度は表２に示す。
【００４９】（比較例３）
比較例３は、吸着剤を含有せず、ガラス繊維（平均繊維径０．８μｍのガラス短繊維、「ＣＭＬＦ♯２０８」日本板硝子（株）製）５００ｃｍ３及び微細砂（平均粒径０．３ｍｍの砂）４５００ｃｍ３からなる希釈材によって、汚染成分拡散防止層を形成した。形成された汚染成分拡散防止層の透水係数、厚さ及び空間速度は表２に示す。
【００５０】（比較例４）
比較例４は、セリウムを主成分とする複数の希土類化合物３０質量％、水５５質量％、残部がシリカ等の無機元素１５質量％からなる粘土状の吸着剤（商品名「アドセラ（登録商標）（スラリー状）」日本板硝子（株）製）５０ｇ（比重＝１．２、４１．５ｃｍ３）と、礫（平均粒径１．５ｍｍ）２０００ｃｍ３からなる希釈材とを、体積比にして０．２：１０の割合で混合することにより、汚染成分拡散防止層を形成した。形成された汚染成分拡散防止層の透水係数、厚さ及び空間速度は表２に示す。
【００５１】（比較例５）
比較例５は、セリウムを主成分とする複数の希土類化合物３０質量％、水５５質量％、残部がシリカ等の無機元素１５質量％からなる粘土状の吸着剤（商品名「アドセラ（登録商標）（スラリー状）」日本板硝子（株）製）５０ｇ（比重＝１．２、４１．５ｃｍ３）によって、汚染成分拡散防止層を形成した。形成された汚染成分拡散防止層の透水係数、厚さ及び空間速度は表２に示す。
【００５２】  上記で作製した汚染成分拡散防止層について試験を行い、各汚染拡散防止層の性能を評価した。試験方法及び評価方法を以下に示す。
【００５３】（評価方法）
試験用汚染土壌として、市販の鹿沼土１ｋｇに１００ｍｇ／ｌのヒ素溶液１００ｍｌを混入後、混合し、１０日間開封系で放置したものを用意した。なお試験用汚染土壌は、環境省告示第４６号溶出試験で溶出させた結果、ヒ素添加量の８０％の溶出が確認でき、社団法人土壌環境センターが提案する酸添加試験では９６％、アルカリ添加試験では９０％の溶出が確認できた。
その後、図３に示す試験装置１０を用いて試験を行った。断面形状が正方形で断面積が０．０１ｍ２のカラム１１に、ろ過用のグラスウール１２、各実施例及び比較例の汚染成分拡散防止層１３及び前記試験用汚染土壌１４を順次積層した後、前記カラム１１の上からポンプ（図示せず）を用いて所定量の蒸留水（表２参照）を流し込み、前記カラム１１から排出された水１６を回収した。
そして、回収された水のヒ素濃度（ｍｇ／ｌ）を、前記蒸留水を流し込んで１時間経過時点と、２４時間経過時点でそれぞれ測定することにより、各汚染成分拡散防止層の浄化能力を評価した。
【００５４】
【表２】
2010005624.tif 000003
【００５５】  表２によれば、実施例１〜６は比較例１〜５に比べて、回収された水のヒ素濃度が低く、汚染拡散防止層の浄化能力が高いことがわかる。一方、比較例１、２、４及び５は、空間速度が大きいため大量の水を処理することはできるものの、空間速度の適正化が図れていないため浄化能力が低く、比較例３は、汚染拡散防止層が希釈材のみで構成されるため浄化能力に劣ることがわかる。
【産業上の利用可能性】
【００５６】  本発明によれば、従来の汚染成分拡散防止技術に比べ、汚染土壌中に含まれる汚染成分に対して、安定し、かつ優れた浄化能力を有する汚染成分拡散防止用混合物及び汚染成分拡散防止方法の提供が可能である。
【符号の説明】
【００５７】１    汚染土壌
２    非汚染土壌
３    汚染成分拡散防止層
４    保護層
１０  試験装置
１１  カラム
１２  グラスウール
１３  汚染成分拡散防止層
１４  汚染土壌
１５  蒸留水
１６  回収した水
【図１】
2010005624.tif 000004
【図２】
2010005624.tif 000005
【図３】
2010005624.tif 000006